(57)【特許請求の範囲】
【請求項１】
コンパクトＰＣＩバックプレーン同士を接続するコンパクトＰＣＩバスブリッジボードであって、ボード本体の挿込側端縁部の一端寄りの一側面に、一方のコンパクトＰＣＩバックプレーンのコネクタ部に挿し込むコネクタ部を設けるとともに、ボード本体の挿込側端縁部の他端寄りの他側面に、他方のコンパクトＰＣＩバックプレーンのコネクタ部に挿し込むコネクタ部を設けたことを特徴とするコンパクトＰＣＩバスブリッジボード。
【請求項２】
請求項１に記載のコンパクトＰＣＩバスブリッジボードが中央に配置されるラック本体内の空間室の両側方部にそれぞれコンパクトＰＣＩバックプレーン同士が配置されてなるコンパクトＰＣＩボード用ラックであって、ラック本体の空間室の一側方部に配置される一方のコンパクトＰＣＩバックプレーンを、コンパクトＰＣＩバスブリッジボードの挿込側端縁部の一端寄りに配置するとともに、ラック本体内の空間室の他側方部に配置される他方のコンパクトＰＣＩバックプレーンを、コンパクトＰＣＩバスブリッジボードの挿込側端縁部の他端寄りに配置したことを特徴とするコンパクトＰＣＩボード用ラック。
【発明の詳細な説明】
【０００１】
【発明の属する技術分野】
本発明は、コンパクトＰＣＩバスブリッジボードおよびコンパクトＰＣＩボード用ラックに関するものである。
【０００２】
【従来の技術】
コンピュータのバス規格の中に、コンパクトＰＣＩバス規格があるが、例えばこのコンパクトＰＣＩ規格では、通常、８スロットまでコントロールできるようになっている（以下、コンパクトＰＣＩを単にＰＣＩと略す）。実際には、コントロール用のＣＰＵボードを含めて８枚、すなわち１枚のＰＣＩバックプレーンでは、７個の接続用スロットが設けられるようになっている。
【０００３】
このため、８個以上のスロットを必要とする場合には、例えば２枚のＰＣＩバックプレーンを使用するとともに、ＰＣＩバスブリッジボードを使用して互いに接続する必要がある。
【０００４】
従来、２枚のＰＣＩバックプレーン同士をＰＣＩバスブリッジボードで接続する場合、各ＰＣＩバックプレーンにそれぞれＰＣＩバスブリッジボードを挿し込み、両ＰＣＩバスブリッジボード同士をケーブルを介して接続する方法がある。しかし、この方法によると、ケーブルを使用して接続するため、ノイズ等が入るおそれがある。
【０００５】
この欠点を解消する方法として、１枚のＰＣＩバスブリッジボードを使用する方法がある。
この方法では、図４に示すように、ボード接続用のラック本体５１内に、２個のＰＣＩバックプレーン５２，５３を、その高さ方向でその取付位置を異ならせるとともに、両ＰＣＩバックプレーン５２，５３の端部のスロット同士、すなわちコネクタ部５４，５５同士が同列となるように配置し、そしてこの同列に位置するコネクタ部５４，５５同士をＰＣＩバスブリッジボード６１により互いに接続するものである。なお、両側のＰＣＩバックプレーン５２，５３同士の位置が高さ方向で異なるようにされているのは、ＰＣＩバスブリッジボード６１に、各ＰＣＩバスブリッジボード５２，５３のコネクタ部５４，５５に接続するための２個のコネクタ部６２，６３を、同列に設けるためである。
【０００６】
【発明が解決しようとする課題】
ところで、通常、各ＰＣＩボード７１に設けられるコネクタ部７２は、その挿込側端縁部の一方寄りに配置されているため、図４に示すように、左右に配置されるＰＣＩバックプレーン５２，５３の取付位置がずらされれている場合には、ラック本体５１内には、大きいデッドスペースＳが生じるという問題があった。
【０００７】
そこで、本発明は、無駄な空間を無くし得るコンパクトＰＣＩバスブリッジボードおよびコンパクトＰＣＩボード用ラックを提供することを目的とする。
【０００８】
【課題を解決するための手段】
上記課題を解決するために、本発明のコンパクトＰＣＩバスブリッジボードは、コンパクトＰＣＩバックプレーン同士を接続するコンパクトＰＣＩバスブリッジボードであって、ボード本体の挿込側端縁部の一端寄りの一側面に、一方のコンパクトＰＣＩバックプレーンのコネクタ部に挿し込むコネクタ部を設けるとともに、ボード本体の挿込側端縁部の他端寄りの他側面に、他方のコンパクトＰＣＩバックプレーンのコネクタ部に挿し込むコネクタ部を設けたものであり、
一方、本発明のコンパクトＰＣＩボード用ラックは、上記コンパクトＰＣＩバスブリッジボードを使用して、２枚のコンパクトＰＣＩバックプレーン同士を接続するものであって、ラック本体の空間室の一側方部に配置される一方のコンパクトＰＣＩバックプレーンを、コンパクトＰＣＩバスブリッジボードの挿込側端縁部の一端寄りに配置するとともに、ラック本体内の空間室の他側方部に配置される他方のコンパクトＰＣＩバックプレーンを、コンパクトＰＣＩバスブリッジボードの挿込側端縁部の他端寄りに配置したものである。
【０００９】
上記コンパクトＰＣＩバスブリッジボードおよびコンパクトＰＣＩボード用ラックの構成によると、中央に配置されるバスブリッジボードでラック本体内の空間室の両側に配置される２枚のバックプレーンを接続する際に、バックプレーン同士を、それぞれのコネクタ部が外側に位置するように、すなわち逆方向に配置するようにしたので、デッドスペースが発生するのを防止し得る。
【００１０】
【発明の実施の形態】
以下、本発明の実施の形態におけるコンパクトＰＣＩバスブリッジボードおよびコンパクトＰＣＩボード用ラックを、図１および図２に基づき説明する。
【００１１】
まず、コンパクトＰＣＩバスブリッジボードを、図１および図２に基づき説明する。
このコンパクトＰＣＩバスブリッジボード（以下、バスブリッジボードという）１のボード本体２の挿込側端縁部の下寄り（一端寄り：図面上では下側）でかつ部品実装側（一側面）には、第１コネクタ部３が設けられるとともに、挿込側端縁部の上寄り（他端寄り：図面上では上側）でかつ半田面側（他側面）には、第２コネクタ部４が設けられている。
【００１２】
上記第１および第２コネクタ部３，４は、外側寄り位置にて設けられる第１コネクタ（３２ビット部分）３ａ，４ａと、内側寄り位置にて設けられる第２コネクタ（６４ビット部分）３ｂ，４ｂとから構成されている。勿論、このボード本体２には、図示しないが、コントローラ用チップが搭載されている。
【００１３】
次に、上記バスブリッジボード１を具備するとともにこのバスブリッジボード１を介して互いに接続される２枚のコンパクトＰＣＩバックプレーン（以下、バックプレーンという）を有するコンパクトＰＣＩボード用ラックを、図３に基づき説明する。
【００１４】
図３に示すように、このコンパクトＰＣＩボード用ラック（以下、ラックという）１１は、コンパクトＰＣＩボード（以下、ＰＣＩボードという）３１を複数枚収納し得る空間部１２を有する箱型状のラック本体１３と、このラック本体１３の空間部１２の中央に配置される上記バスブリッジボード１と、このバスブリッジボード１の一方の空間部１２側に、例えば右側の空間部１２ａに配置されるプライマリバックプレーン２１と、このバスブリッジボード１の他方の空間部側に、すなわち左側の空間部１２ｂに配置されるセカンダリバックプレーン２２とから構成されている。
【００１５】
そして、上記プライマリバックプレーン２１は下方寄りに（バスブリッジボード１の端縁部から見て、一端寄り位置）配置されるとともに、セカンダリバックプレーン２２は上方寄りに（バスブリッジボード１の端縁部から見て、他端寄り位置）に配置されている。
【００１６】
さらに、上記プライマリバックプレーン２１およびセカンダリバックプレーン２２におけるコネクタ部２３，２４の内、それぞれ第１コネクタ２３ａ，２４ａは外側に、また第２コネクタ２３ｂ，２４ｂは内側に位置するように取り付けられる。
【００１７】
したがって、図３に示すように、上記ラック本体１３に、ＰＣＩボード３１を挿し込む場合、プライマリバックプレーン２１側では、ＰＣＩボード３１に設けられたコネクタ部３２が下方位置となるように挿し込まれるのに対して、セカンダリバックプレーン２２側では、ＰＣＩボード３１に設けられたコネクタ部３２が上方位置となるように挿し込まれる。
【００１８】
このように、中央に配置されるバスブリッジボード１でラック本体１３内の空間部１２の左右に配置される２枚のバックプレーン２１，２２を接続する際に、バックプレーン２１，２２同士を、それぞれのコネクタ部２３，２４が外側に位置するように、すなわち逆方向に配置したので、従来の場合とは異なり、デッドスペースが無くなり、よりコンパクトなボード用のラックを提供することができる。
【００１９】
なお、バックプレーン２１，２２同士は、基板にプリントされた回路にて接続されるため、ケーブルを使用するものに比べて、ノイズが入るのを防止することができる。
【００２０】
また、従来、２枚のバックプレーンを横に並べて配置するようにされたラック本体を、そのまま使用することができるので、例えば従来例の箇所で説明したように、特別に、大きいラック本体を製作する必要が無いため、経済的である。
【００２１】
【発明の効果】
以上のように本発明の構成によると、中央に配置されるコンパクトＰＣＩバスブリッジボードでラック本体内の空間部の左右に配置される２枚のコンパクトＰＣＩバックプレーンを接続する際に、コンパクトＰＣＩバックプレーン同士を、それぞれのコネクタ部が外側に位置するように、すなわち逆方向に配置したので、従来の場合とは異なり、デッドスペースの発生を防止して、よりコンパクトなコンパクトＰＣＩボード用のラックを提供することができる。
【図面の簡単な説明】
【図１】本発明の実施の形態におけるコンパクトＰＣＩバスブリッジボードの側面図である。
【図２】図１のＡ−Ａ矢視図である。
【図３】同実施の形態のコンパクトＰＣＩボード用ラックの使用状態を説明する正面図である。
【図４】従来例におけるコンパクトＰＣＩボード用ラックの使用状態を説明する正面図である。
【符号の説明】
１        コンパクトＰＣＩバスブリッジボード
２        ボード本体
３，４      コネクタ部
３ａ，４ａ  第１コネクタ
３ｂ，４ｂ  第２コネクタ
１１        コンパクトＰＣＩボード用ラック
１３        ラック本体
２１        プライマリバックプレーン
２２        セカンダリバックプレーン
２３，２４  コネクタ部
３１        コンパクトＰＣＩボード
３２        コネクタ部
【図１】
0003630560.tif 000002
【図２】
0003630560.tif 000003
【図３】
0003630560.tif 000004
【図４】
0003630560.tif 000005